(57)【要約】【課題】  工場で内部・外部の仕上げまで完了された居住ユニットを、現場で接合して４階建て以上の居住建物を建設するためのユニット式建築の相互接合構造を得る。【解決手段】  柱部分は鋼管柱を梁部分は形鋼材を用いて構成された内部・外部の仕上げを済ませた下側居住ユニットＤと、上側居住ユニットＵを接合するユニット式建築の相互接合構造において、上記下側居住ユニットＤに設けられた下柱鋼管柱１ａ，１ｂと、この下柱鋼管柱に設けられた下柱柱頭外側ダイヤフラム５と、上記上側居住ユニットＵに設けられた上柱鋼管柱２ａ，２ｂと、この上柱鋼管柱に設けられた上柱柱脚外側ダイヤフラム４と、上記下柱柱頭外側ダイヤフラム５と、上記上柱柱脚外側ダイヤフラム４を接合する複数の柱縦接合用ボルト７とを備える。【選択図】        図１
2005336984.tif 000002
【特許請求の範囲】
【請求項１】
柱部分は鋼管柱を梁部分は形鋼材を用いて構成された内部・外部の仕上を済ませた下側居住ユニットと、上側居住ユニットを接合するユニット式建築の相互接合構造において、上記、下側居住ユニットに設けられた下柱鋼管柱と、この下柱鋼管柱に設けられた下柱柱頭外側ダイヤフラムと、上記、上側居住ユニットに設けられた上柱鋼管柱と、この上柱鋼管柱に設けられた上柱柱脚外側ダイヤフラムと、上記下柱柱頭外側ダイヤフラムと、上記上柱柱脚外側ダイヤフラムを接合する複数の柱縦接合用ボルトとを備えたことを特徴とするユニット式建築の相互接合構造。
【請求項２】
水平方向に隣接する居住ユニットの，隣接する２本の鋼管柱と、この２本の鋼管柱を接合する複数の横接合用ボルトを備えたことをことを特徴とする請求項１記載のユニット式建築の相互接合構造。
【請求項３】
上柱鋼管柱に設けられた上柱柱脚外側ダイヤフラムに貫通孔を設け、この貫通孔に縦接合用ボルトを挿入するハット形ワッシャーを挿着したことを特徴とする請求項１または２記載のユニット式建築の相互接合構造。
【請求項４】
下柱柱頭外側ダイヤフラムと、上柱柱脚外側ダイヤフラムを接合するガイドピンを設けた事を特徴とする請求項１〜３のいずれか一項記載のユニット式建築の相互接合構造。
【発明の詳細な説明】
【技術分野】
【０００１】  この発明は、ユニット式建築の居住ユニット相互接合構造に関するものである。
【背景技術】
【０００２】  従来、工場で生産された部材を現場で組み立てて家屋を造る、いわゆる、プレハブ住宅は広く知られている。しかし、３階以上の家屋の建設になると、プレハブ方式で建設することは困難であった。従って、３階建の家屋では、鉄筋・鉄骨の建築物になされており、せいぜい鉄骨部材、床部材、壁面部材など、部分的な部材を工場で生産して現場で接合し組み立てる程度であった。また、他の「ユニット式建築における相互間の接合構造」の場合、３階建ての住宅を建設するための相互間の接合構造としては、上下のユニットを一本のボルトで接合する構造となっている。（例えば、特許文献１参照）
【特許文献１】特開平８−２８４２６０（第２頁，図１）
【発明の開示】
【発明が解決しようとする課題】
【０００３】  上記のようなユニット式建築における相互間の接合構造は、３階建てまでの家屋建築には対応可能であったが、４階建て以上の家屋建築に対応するには強度的に問題があった。【０００４】  この発明は上記のような問題点を解決する為になされたもので、工場で内部・外部仕上げまで製作された居住ユニットを、現場で接合して４階建て以上の居住建物をも建設するための居住ユニットの相互接続構造を提供するものである。
【課題を解決する為の手段】
【０００５】  この発明に係るユニット式建築の相互接合構造は、柱部分は鋼管柱を梁部分は形鋼材を用いて構成された内部・外部の仕上を済ませた下側居住ユニットＤと，上側居住ユニットＵを接合するユニット式建築の相互接続構造において、上記下側居住ユニットＤに設けられた下柱鋼管柱１ａ・１ｂと、この下柱鋼管柱１ａ，１ｂに設けられた下柱柱頭外側ダイヤフラム５と、上記上側居住ユニットＵに設けられた上柱鋼管柱２ａ・２ｂと、この上柱鋼管柱２ａ，２ｂに設けられた上柱柱脚外側ダイヤフラム４と、上記下柱柱頭外側ダイヤフラム５と上記上柱柱脚外側ダイヤフラム４を接合する複数の柱縦接合用ボルト７とを備えたものである。
【０００６】  また、水平方向に隣接する居住ユニットの２本の鋼管柱と、隣接する２本の鋼管柱を接合する複数の柱横接合用ボルト１４を備えたものである。
【０００７】  また、上柱鋼管柱２ａ，２ｂに設けられた上柱柱脚外側ダイヤフラム４に柱縦接合用ボルト孔４ａ，４ｂを設け、この柱縦接合用ボルト孔４ａ，４ｂに柱縦接合用ボルト７を挿入するハット形ワッシャー１２を挿着したものである。
【０００８】  下柱柱頭外側ダイヤフラム５と、上柱柱脚外側ダイヤフラム４を接合するガイドピン９を備えたものである。
【発明の効果】
【０００９】  この発明のユニット式建築の相互接合方法は、居住ユニットの接合部の近傍に設けた開閉自在の外部開閉自在の仕上壁及び鋼管柱の相互端部に設けた接続作業用の開口部を通じて、鋼管柱内で上下及び隣接する居住ユニットの接合がなされ、接合完了後は、外部開閉自在の仕上壁を閉じて鋼管柱内部は見えないようになされる。従って、工場で内部・外部仕上げまで製作された居住ユニットを現場で接合して４階建て以上の建築物に対応できる接合構造の居住建物を建設することが可能である。
【００１０】  また、接合される下柱鋼管柱の柱頭外側ダイヤフラムに予め四本の柱縦接続用ボルトが設けてある為、建設の進捗が速やかとなる。さらに、建物規模に適応した四本の柱縦接合用ボルトにより接合することで、強度確認が容易くなり、４階以上の建築物に充分対応できる接合構造が得られる。
【００１１】  さらに，接合される鋼管柱の他方に、柱縦接続用ボルト径に対応する余裕のある貫通孔が設けてあるため居住ユニットの設置作業も速やかとなる。そして、柱縦接続用ボルトと対応する貫通孔の間隙を埋めるハット形ワッシャーを挿入することにより、強度確認も容易くなり４階以上の建築物に充分対応できる接合構造が得られる。
【発明を実施するための最良の形態】
【００１２】実施の形態１．
図１は、この発明の一実施の形態である居住ユニットの接合部を示す平面図である。図２は、図１の線Ａ−Ａに沿う断面図である。また、図３は、図１の線Ｂ−Ｂに沿う断面図である。さらに、図４は、上下居住ユニットの連結状態を示す斜視図であり、図５は、上下居住ユニットと、水平方向に隣接する居住ユニットの接合部分の斜視図である。図において、１ａは下側居住ユニットＤの柱部分を構成する下柱鋼管柱であり、１ｂは鋼管柱１ａに隣接する下側居住ユニットＤの柱部分を構成する下柱鋼管柱である。この下柱鋼管柱１ａ、１ｂには、それぞれの下柱柱頭部分に鉄製の下柱柱頭外側ダイヤフラム５及び下柱柱頭内側ダイヤフラム６が設けられている。２ａは上側居住ユニットＵの柱部分を構成する上柱鋼管柱であり、２ｂは上柱鋼管柱２ａに隣接する上側居住ユニットＵの柱部分を構成する上柱鋼管柱である。
この上柱鋼管柱２ａ、２ｂには、それぞれ上柱柱脚部分に鉄製の上柱柱脚内側ダイヤフラム３及び上柱柱脚外側ダイヤフラム４が設けられている。【００１３】  ７は下側居住ユニットＤの下柱鋼管柱の下柱柱頭外側ダイヤフラム５に予め組み込まれた柱縦接合用ボルトであり、８はこの柱縦接合用ボルトが抜け落ちないように保持する為の加工取り付けされたボルト落下防止カバープレート８である。また、下柱柱頭外側ダイヤフラム５には、ガイドピン９が設けてあり、さらに、このガイドピン９と柱縦接合用ボルト７に対応する上側居住ユニットＵの上柱鋼管柱の上柱柱脚外側ダイヤフラム４には、柱縦接合用ボルト孔４ａ，４ｂとガイドピン用ガイド孔４ｇが設けてある。
１０は下柱鋼管柱１ａ、１ｂに、１１は上柱鋼管柱２ａ、２ｂの側面に設けられた居住ユニットＤ及びＵの接合作業用の開口部である。【００１４】  柱縦接合用ボルト７は、図１〜図３に示すように上下のユニットを重ね合わせて、ガイドピン９をガイドピン用ガイド孔４ｇに係合させることにより位置決めした後、接合作業用の開口部１１からハット形ワッシャー１２を挿入、４本の柱縦接合用ボルト７にセットし、さらに接合用ナット１３も挿入し４本の柱縦接合用ボルト７に締め付け上下ユニットを接合する。なお、柱縦接合用ボルト７は居住ユニットの大きさ及び建築物規模により１６ｍｍ〜３４ｍｍ呼び径のものから適切な強度のものを選択して用いる。【００１５】  １４は隣接する居住ユニットの柱横接合用ボルトであり（図３に示す）、柱横接合用のボルト孔１５を貫通させて、隣接する居住ユニットを接合する。この柱横接合用ボルト１４は１０ｍｍ〜２４ｍｍの呼び径のものから適切な強度のものを選択して用いる。１６は隣接する居住ユニットの柱横接合用スペーサーである。２０は外壁１００に設けられた開閉自在の外部仕上壁である。【００１６】  上記のように、建築物の規模に適応する強度の柱縦接合用ボルトを選択して、４本の柱縦接合用ボルトを設けた構造とした為、１本の柱縦接合用ボルトで上下居住ユニットを接合する構造に比べて、建物規模に適応する上下居住ユニット接合部の強度確認も容易くなる。さらに、隣接する居住ユニットの鋼管柱の柱脚、柱頭の近距離において、鋼管柱自身に設けられた柱横接続用ボルト孔に柱横接続用ボルトにより接続される為，強度確認も容易くなり、４階建て以上の居住建物にも充分適応可能となる構造を得られる。
【図面の簡単な説明】
【００１７】
【図１】  この発明の一実施の形態である居住ユニットの接合部を示す平面図である。
【図２】  図１の線Ａ−Ａに沿う断面図である。
【図３】  図１の線Ｂ−Ｂに沿う断面図である。
【図４】  この発明の上下居住ユニットの連結状態を示す斜視図である。
【図５】  この発明の上下居住ユニットの接合部分の斜視図である。
【符号の説明】
【００１８】    １ａ，１ｂ  下柱鋼管柱、２ａ，２ｂ  上柱鋼管柱、３  上柱柱脚内側ダイヤフラム、４  上柱柱脚外側ダイヤフラム、４ａ，４ｂ  柱縦接合用ボルト孔、４ｇ  ガイドピン用ガイド孔、５  下柱柱頭外側ダイヤフラム、６  下柱柱頭外側ダイヤフラム、７  柱縦接合用ボルト、８  ボルト落下防止カバープレート、９  ガイドピン、１０  下柱ユニット接合用開口部、１１  上柱ユニット接合用開口部、１２  ハット型ワッシャー、１３  柱縦接合用ナット、１４  柱横接合用ボルト、１５  柱横接合用ボルト孔、１６  柱横接合用スペーサー、２０  開閉自在の外部仕上壁、１００  外部仕上壁、Ｐ  隣接ユニット間横接合部分、Ｖ  上下ユニット間縦接合部分、Ｄ  下側居住ユニット、Ｕ  上側居住ユニット
【図１】
2005336984.tif 000003
【図２】
2005336984.tif 000004
【図３】
2005336984.tif 000005
【図４】
2005336984.tif 000006
【図５】
2005336984.tif 000007